(57)【要約】【課題】部品が増えることによるコストアップなしに、メモリタグ通信中にドアオープンされた場合に生じるデータ破壊を防止できる画像形成装置を提供する。【解決手段】プロセスカートリッジを画像形成装置内に出し入れするための開口と、開口に設けたドアと、一端が電源に接続され前記ドアの開／閉に連動して前記電源からの回路をオフ／オンするドアスイッチと、画像形成装置内に設けられ、装着状態の前記プロセスカートリッジと通信を行う通信手段と、ドアスイッチの他端の電圧を取り込み、複数の閾値と比較して比較結果にもとづいて所要の制御を行う制御手段と、を備え、制御手段は、ドアスイッチの他端の電圧が、第１の閾値以下に低下した場合に、通信手段によるプロセスカートリッジとの通信の終了処理を開始し（Ｓ１００３）、第１の閾値より低い第２の閾値以下に低下した場合に、シャットダウン処理を行う（Ｓ１００７）画像形成装置。【選択図】図１０
2009210602.tif 000002
【特許請求の範囲】
【請求項１】
感光ドラムを有するプロセスカートリッジを着脱可能な画像形成装置において、
前記プロセスカートリッジを前記画像形成装置内に出し入れするための開口と、
前記開口に設けたドアと、
一端が電源に接続され前記ドアの開／閉に連動して前記電源からの回路への通電をオフ／オンするドアスイッチと、
前記画像形成装置内に設けられ、装着状態の前記プロセスカートリッジと通信を行う通信手段と、
前記ドアスイッチの他端の電圧を取り込み、複数の閾値と比較して比較結果にもとづいて所要の制御を行う制御手段と、
を備え、
前記制御手段は、前記ドアスイッチの他端の電圧が、第１の閾値以下に低下した場合に、前記通信手段による前記プロセスカートリッジとの通信の終了処理を開始し、前記第１の閾値より低い第２の閾値以下に低下した場合に、各種装置を停止させるシャットダウン処理を行うことを特徴とする画像形成装置。
【請求項２】
請求項１に記載の画像形成装置において、
前記制御手段は、前記ドアスイッチの他端の電圧が、第１の閾値以下に低下した時から第１の所定時間が経過しても前記第２の閾値以下に低下しない場合に、前記通信手段による前記プロセスカートリッジとの通信を再開させることを特徴とする画像形成装置。
【請求項３】
感光ドラムを有するプロセスカートリッジを着脱可能な画像形成装置において、
前記プロセスカートリッジを前記画像形成装置内に出し入れするための開口と、
前記開口に設けたドアと、
一端が電源に接続され前記ドアの開／閉に連動して前記電源からの回路への通電をオフ／オンするドアスイッチと、
前記画像形成装置内に設けられ、装着状態の前記プロセスカートリッジと通信を行う通信手段と、
前記ドアスイッチの他端の電圧を取り込み、複数の閾値と比較して比較結果にもとづいて所要の制御を行う制御手段と、
を備え、
前記制御手段は、前記ドアスイッチの他端の電圧が、第１の閾値以下に低下した場合に、前記通信手段による前記プロセスカートリッジとの通信の終了処理を開始し、前記第１の閾値より低い第２の閾値以下に低下した場合に、前記第１の閾値以下に低下してから第２の所定時間が経過しているときは、各種装置を停止させるシャットダウン処理を行うことを特徴とする画像形成装置。
【請求項４】
請求項３に記載の画像形成装置において、
前記制御手段は、前記プロセスカートリッジとの通信の終了処理を開始してから、前記ドアスイッチの他端の電圧が、前記第２の閾値以下に低下し、その後、前記第１の閾値以下に低下してから前記第２の所定時間が経過する前に第２の閾値を越える電圧に復帰したときは、前記他端の電圧が前記第１の閾値を越える電圧に復帰するのを待って前記プロセスカートリッジとの通信を再開することを特徴とする画像形成装置。
【発明の詳細な説明】
【技術分野】
【０００１】
本発明はレーザビームプリンタなどの電子写真方式の画像形成装置に関し、特にそのプロセスカートリッジとの通信の終了処理に関するものである。
【背景技術】
【０００２】
従来、電子写真画像形成プロセスを用いた電子写真画像形成装置においては、カートリッジに取り付けられたメモリ（以下メモリタグという）を用いてプロセスカートリッジの管理や最適な性能を引き出す機構を搭載しているものが存在する。
また、メモリタグとプリンタとの通信は非接触の通信方式と接触式の通信方式を採用している構成があるが、接触式の通信接点の方が安価であるため、接触式の通信接点による方式が採用される場合が多い。
この接触式の通信方式は一般に本体の通信制御回路に接続されており、この接点がメモリ手段の接点面に接触することで、プロセスカートリッジに取り付けられたメモリタグと通信を行うようになっている。
【０００３】
しかし接触式の方式では、コネクタとメモリタグが通信中に離れてしまうと、データ欠損が生じてしまう。そのため、ドアスイッチによってドアの開閉を検知した後、データ通信の終了処理を行ってから接点部が離間するような構成とし、データ欠損が発生しないようにしていた（特許文献１）。
【特許文献１】特開２００４−６９９４３号公報
【発明の開示】
【発明が解決しようとする課題】
【０００４】
しかしながら、ドアの開閉に連動させてコネクタ接点部を移動させる方式では、ドア開閉をドアスイッチが検知してから、メモリタグとコネクタ接点が離間するまでの時間がドア開閉速度によって決定されてしまう。そこで、終了処理にかかる時間が使用者によって決まってしまう。
【０００５】
そのために終了処理を行う時間を非常に短く見積もらねばならず、終了処理を高速で行うために電気回路のコストアップをまねいてしまっていた。
また、ドア検知を可能な限り早く検知するために、ドア開閉を検知することを優先してドアスイッチ機構を構成すると、ドアが開いていないのにドアが開いているという誤検知の可能性が高まるという問題があった。
また、特許文献１のようにメカ機構によりドアが開かれてドアスイッチがドア開を検知してからメモリ手段とコネクタとの接合が離間するまでの時間を一定時間以上に保つような構成にすると、複雑なメカ構成が必要になり、コストアップ要因となっていた。
【０００６】
本発明は、このような状況のもとでなされたもので、部品が増えることによるコストアップなしに、プロセスカートリッジと通信中にドアオープンされた場合に生じるデータ破壊を防止できる画像形成装置を提供することを課題とするものである。
【課題を解決するための手段】
【０００７】
前記課題を解決するため、本発明では、画像形成装置を次の（１），（２）のとおりに構成する。
【０００８】
（１）感光ドラムを有するプロセスカートリッジを着脱可能な画像形成装置において、
前記プロセスカートリッジを前記画像形成装置内に出し入れするための開口と、
前記開口に設けたドアと、
一端が電源に接続され前記ドアの開／閉に連動して前記電源からの回路への通電をオフ／オンするドアスイッチと、
前記画像形成装置内に設けられ、装着状態の前記プロセスカートリッジと通信を行う通信手段と、
前記ドアスイッチの他端の電圧を取り込み、複数の閾値と比較して比較結果にもとづいて所要の制御を行う制御手段と、
を備え、
前記制御手段は、前記ドアスイッチの他端の電圧が、第１の閾値以下に低下した場合に、前記通信手段による前記プロセスカートリッジとの通信の終了処理を開始し、前記第１の閾値より低い第２の閾値以下に低下した場合に、各種装置を停止させるシャットダウン処理を行う画像形成装置。
【０００９】
（２）感光ドラムを有するプロセスカートリッジを着脱可能な画像形成装置において、
前記プロセスカートリッジを前記画像形成装置内に出し入れするための開口と、
前記開口に設けたドアと、
一端が電源に接続され前記ドアの開／閉に連動して前記電源からの回路への通電をオフ／オンするドアスイッチと、
前記画像形成装置内に設けられ、装着状態の前記プロセスカートリッジと通信を行う通信手段と、
前記ドアスイッチの他端の電圧を取り込み、複数の閾値と比較して比較結果にもとづいて所要の制御を行う制御手段と、
を備え、
前記制御手段は、前記ドアスイッチの他端の電圧が、第１の閾値以下に低下した場合に、前記通信手段による前記プロセスカートリッジとの通信の終了処理を開始し、前記第１の閾値より低い第２の閾値以下に低下した場合に、前記第１の閾値以下に低下してから第２の所定時間が経過しているときは、各種装置を停止させるシャットダウン処理を行う画像形成装置。
【発明の効果】
【００１０】
本発明によれば、終了処理を高速で行うための電気回路、及び複雑なメカ構成が必要となって部品が増えることによるコストアップなしに、プロセスカートリッジとの通信中にドアオープンされた場合に生じるデータ破壊を防止することができる。
【発明を実施するための最良の形態】
【００１１】
以下、本発明を実施するための最良の形態を、実施例により詳しく説明する。
【実施例１】
【００１２】
実施例１である“画像形成装置”について説明する。
【００１３】
（１）画像形成装置の構成と動作の概略
図１は本実施例の画像形成装置の概略構成図である。本実施例の画像形成装置は、電子写真方式、プロセスカートリッジ着脱式のレーザプリンタの例である。
図１において、１は潜像担持体としての回転ドラム型の電子写真感光体（感光ドラム）である。本実施例における感光ドラム１は、負帯電性の有機感光体であり、不図示の駆動用モータによって矢印の時計方向に所定の周速度で回転駆動される。
感光ドラム１はその回転過程で帯電装置によって負の所定電位に一様に帯電処理を受ける。本実施例において帯電装置は帯電部材として帯電ローラ２を用いた接触帯電装置である。帯電ローラ２は感光ドラム１に対して従動回転する。帯電ローラ２に対しては、帯電バイアス電源（不図示）からバイアス電圧が印加される。帯電バイアス電圧には、放電開始電圧の２倍以上のピーク間電圧を有する交流電圧に、所望のドラム上電位に相当する直流電圧を重畳印加する方式が用いられている。この帯電方法は、直流電圧に交流電圧を重畳印加することによって、感光ドラム上の局所的な電位ムラを解消し、感光ドラム上を直流印加電圧に等しい電位に均一帯電することを狙いとしている。
【００１４】
次いで露光装置２１による像露光を受ける。露光装置２１は、均一帯電された感光ドラム１に静電潜像を形成するものであり、本実施例では、半導体レーザスキャナを用いた。露光装置２１は、画像形成装置内のホスト装置（不図示）から送られてくる画像信号に対応して変調されたレーザ光Ｌを出力して、反射鏡２１ａと、後述するプロセスカートリッジＣの露光窓部ａを介して感光ドラム１の均一帯電面を走査露光（像露光）する。感光ドラム表面は露光箇所の電位の絶対値が帯電電位の絶対値に比べて低くなることによって、画像情報に応じた静電潜像が順次形成される。
【００１５】
次いでその静電潜像は現像装置５により現像されてトナー像として顕像化される。本実施例では、ジャンピング現像方式を用いた。この方式では、不図示の現像バイアス電源から現像ローラ７（以下現像スリーブという）に対して交流と直流を重畳した現像バイアス電圧を印加する。これによって、現像剤層厚規制部材６と現像スリーブ７の接触箇所で摩擦帯電により負極性に帯電されたトナーを感光ドラム表面の静電潜像に適用して静電潜像を反転現像する。
その感光ドラム面のトナー像が不図示の給紙部から給送された紙等の記録媒体（転写材）に対して転写装置にて転写される。本実施例では転写ローラ２２を用いた接触転写装置である。転写ローラ２２は感光ドラム１に対して感光ドラム中心方向に不図示の押圧バネなどの付勢手段によって押圧されている。転写材が搬送されて転写工程が開始されると、不図示の転写バイアス電源から転写ローラ２２に対して正極性の転写バイアス電圧が印加され、負極性に帯電している感光ドラム１上のトナーは転写材上に転写される。
トナー像の転写を受けた転写材は感光ドラム面から分離されて定着装置２３へ導入されてトナー像の定着処理を受け、シートパス２４を通って排紙トレイ２５上に排出される。定着装置２３は、転写材に転写されたトナー像を熱や圧力などの手段を用いて永久画像に定着するものである。
【００１６】
転写材分離後の感光ドラム面はクリーニング装置４により転写残トナーを掻き取られて清掃され、繰り返して作像に供される。本実施例のクリーニング装置４はクリーニングブレード３を用いたものである。クリーニングブレード３は、転写工程時に感光ドラム１から転写材に転写し切れなかった転写残トナーを回収するものであり、一定の圧力で感光ドラム１に当接し転写残トナーを回収することによって感光ドラム表面を清掃する。クリーニング工程終了後、感光ドラム表面は再び帯電工程に入る。
画像形成装置は、前述の手段を用い、帯電、露光、現像、転写、定着、クリーニングの各工程を繰り返して画像形成を行う。
【００１７】
Ｃは画像形成装置本体２０に対して着脱交換自在のプロセスカートリッジである。本実施例のプロセスカートリッジＣは、潜像担持体としての感光ドラム１と、感光ドラム１に対して接触して、その表面を帯電する帯電部材としての帯電ローラ２と、現像装置５と、クリーニング装置４の４つのプロセス部材を内包させてある。またこのプロセスカートリッジＣには記憶部であるメモリタグ１０を具備させてある。画像形成装置本体側の通信部（不図示）を介してメモリタグ１０に対する情報の読み書きを行う。
【００１８】
プロセスカートリッジＣは、画像形成装置本体２０の本体ドア（カートリッジドア）２０ａを開閉することによって形成される画像形成装置本体２０の開口部（不図示）に対して着脱される。装着は本体ドア２０ａを開いて画像形成装置本体２０内にプロセスカートリッジＣを所定の要領にて挿入装着して本体ドア２０ａを閉じ込むことでなされる（請求項でいう装着状態に相当）。プロセスカートリッジＣは、画像形成装置本体２０に対して所定位置に装着されることで画像形成装置本体２０側と機械的・電気的に連結した状態になる。したがって、メモリタグ１０との情報の読み書きは本体ドア２０ａが閉まった状態でのみ行う必要がある。もし、メモリタグ１０との情報の読み書きを行っている最中に本体ドア２０ａが開けられ、電気的な連結が解除されてしまうと、メモリタグ１０上の情報が破壊されてしまう。
プロセスカートリッジＣの画像形成装置本体２０からの取り外しは、本体ドア２０ａを開いて画像形成装置本体２０内のプロセスカートリッジＣを引き抜くことでなされる。
【００１９】
図２は抜き外された状態のプロセスカートリッジＣを示している。プロセスカートリッジＣが抜き外された状態時には、ドラムカバー８が閉じ位置に移動していて感光ドラム１の露出下面を隠蔽防護している。また露光窓部ａもシャッタ板９で閉じ状態に保持されている。ドラムカバー８とシャッタ板９はプロセスカートリッジＣが画像形成装置本体２０内に装着された状態においてはそれぞれ開き位置に移動して保持される。
【００２０】
ここで、プロセスカートリッジとは、帯電手段、現像手段またはクリーニング手段と電子写真感光体とを一体的にカートリッジ化し、このカートリッジを画像形成装置本体に対して着脱可能とするものである。また、帯電手段、現像手段、クリーニング手段の少なくとも一つと電子写真感光体とを一体的にカートリッジ化して画像形成装置本体に着脱可能とするものである。更に、少なくとも現像手段と電子写真感光体とを一体的にカートリッジ化して装置本体に対して着脱可能とするものをいう。
【００２１】
（２）プリンタ動作シーケンス
図３を用いて本実施例におけるプリンタ動作シーケンスの概略を説明する。
まず、画像形成装置内の電源がオン（ステップ１、以下Ｓ１のように表記する）になると前多回転工程（Ｓ３）が始まる。この工程では、メインモータが感光ドラム１を回転駆動させている間に、プロセスカートリッジＣの有り無し検知、転写ローラのクリーニングなどが行なわれる。
前多回転が終了すると、画像形成装置は待機（スタンバイ）状態に入る（Ｓ４）。不図示のホストコンピュータなどの出力手段から画像情報が画像形成装置に送られると（Ｓ５でＹｅｓ）、メインモータは画像形成装置本体を駆動し前回転工程に入る（Ｓ６）。前回転工程に於いては、諸プロセス機器の印字準備動作が行なわれ、主として、感光ドラム１上の予備帯電、露光装置２１の立ち上げ、転写プリントバイアスの決定、定着装置２３の温度調節などが行なわれる。
前回転工程が終了すると、印字工程が開始される（Ｓ７）。印字工程では、所定タイミングで転写材の給紙、感光ドラム１上の像露光、現像などが行なわれる。印字工程が終了すると、次のプリント指示がある場合、次の転写材が到達するまでの間の紙間工程に入り、次の印字動作を待つ（Ｓ８）。
【００２２】
また、印字動作終了後、次のプリント指示がない場合は、画像形成装置は後回転工程に入る（Ｓ１０）。後回転工程では、感光ドラム１表面の除電や、転写ローラ２２に付着したトナーを感光ドラム１へ吐き出す（転写ローラ２２のクリーニング）などの工程が行われている。
後回転工程が終了すると、画像形成装置本体２０は、再び待機（スタンバイ）状態（Ｓ４）となり、次のプリント信号を待つ。
【００２３】
（３）メモリタグとの通信
図４において、エンジンコントローラ４１内の制御部７１は、メモリタグ接点１０ｃを介してプロセスカートリッジＣ側の記憶部であるメモリタグ１０と通信を行い、情報の読み書きを行う。エンジンコントローラ４１はメモリタグ１０の情報を利用して、トナーの残量を予測したり、使用状況に合わせたバイアスをドラムに印加するといった、様々な制御を行う。
【００２４】
このメモリタグ１０には、プロセスカートリッジＣに関する情報を記憶することができるようになっており、例えば、印刷したページ枚数やドラムの使用量に関する情報などを記憶する領域を有している。そのため、制御部７１はメモリタグ１０と定期的に通信を行って、情報の書込み、及び読み出しを行っている。
一方、メモリタグ接点１０ｃはプロセスカートリッジＣにあるため、例えばユーザが本体ドア２０ａを開けた場合には接点が離れる構成となっている。制御部７１がメモリタグ１０に読み書きを行っている最中に接点が離れてしまうと、メモリタグ上の情報が壊れてしまう。
この情報の破壊を防ぐために、制御部７１は本体ドア２０ａの開閉情報４３を監視して、メモリタグ１０との読み書き中にドアが開かれたことを検知した場合には、即座に通信終了処理を行って、速やかに読み書きを中止する。
【００２５】
ドア開閉を検知する機構としては、本体ドアとスイッチを連動させて、本体ドアが閉まっているときにスイッチがＯＮ、開いている時にスイッチがＯＦＦするような構成として、スイッチの出力を電気回路で読み取る構成が一般的に使われている。
【００２６】
ここで、説明の都合上、従来のドア開閉を検知する機構およびタグ通信終了処理を図５、図６により説明する。
すなわち、従来は、図５に示すように、制御部５１のポートに入る電圧がドアクローズ時とドアオープン時で変化することでドアが開けられたことを検知している。
以下に図５によりドア開閉を検知する機構を説明する。
２４Ｖ電源５０に接続されたドアスイッチ５２は、本体ドアと連動しており、ドアがしまっている状態では、ＯＮ状態になっている。この時に抵抗１と抵抗２の比を２４：３にすることにより制御部５１のドアオープン検出用ポートＤｏｐｅｎの電圧を約３Ｖにすることができる。ここで、５５は外来ノイズ等による誤動作を防止するためのコンデンサ、５６はＤｏｐｅｎポートにＣＰＵ電源電圧Ｖｃｃ以上の電圧がかからないようにするための保護ダイオードである。
また、ドアスイッチ５２には、２４Ｖ電源を使用している高圧電源５７およびドラムモータ５８が接続されている。高圧電源５７とドラムモータ５８の基板上にはそれぞれ電圧安定のためのコンデンサが実装されている。
一方、ドアが開いている状態ではドアスイッチ５２がオープンとなるので、制御部５１のドアオープン検出用ポートＤｏｐｅｎの電圧はほぼ０Ｖとなる。
制御部５１は、閾値とドアオープン検出用ポートＤｏｐｅｎの値を比較することにより、ドアオープン状態であるか、ドアクローズ状態であるかの判断を行う。
【００２７】
図示のように、ドアスイッチ５２の後には多くのコンデンサが接続されてドアクローズ時には充電されている。このため、図６に示すように、ユーザによるドアオープンが発生した場合、ゆっくりとした傾きを持ってドアオープン検出ポートＤｏｐｅｎの電圧が下がってくる。この電圧が制御部５１のポートＤｏｐｅｎの“Ｌｏｗ”検出レベル以下に到達したところで、制御部５１は“Ｌｏｗ”すなわち“ドアオープン”を検出する。この電圧レベルは通常、０．６〜０．９Ｖ程度である。
この“ドアオープン”検出時には各種駆動モータや定着器、高圧出力等を停止させる。さらに、メモリタグとの通信を行っていた場合には、制御部５１は即座にメモリタグ通信との終了処理を開始する。通信終了処理が完全に終わるまでの間にタグ接点が電気的に離れてしまうとメモリタグ上の情報が破壊してしまう。これを防止するために、特許文献１に記載されているような複雑なメカ機構を設けて、ドアオープンしてからタグ接点が離れるまでの時間が常に一定以上になるようにする必要があった（図６参照）。
【００２８】
続いて、本実施例における、ドア開閉を検知する機構およびタグ通信終了処理を図７〜図１０を用いて説明する。
図７は本実施例の要部の概略構成を示す図である。図７において、ＡＤ変換器７９の入力に、一端が電源に接続されたドアスイッチ７２の他端（以下この位置をドアスイッチの他端という）の電圧を、抵抗で分圧した電圧が入力する。ＡＤ変換器７９が電源電圧Ｖａｄで動作する場合には、抵抗７３と抵抗７４の比を２４：Ｖａｄにする。図８に示すように、制御部７１はＡＤ変換器７９によって得たドアスイッチの他端の電圧の情報により、図１０のフローチャートに示す下記の処理を行う。この処理は、制御部７１内の不図示のＣＰＵにより行う。
すなわち、制御部７１は、ドアの開／閉に連動してドアスイッチ７２が前記電源からの回路への通電をオフ／オンする際、ドアスイッチの他端の電圧を、ＡＤ変換器７９でデジタル値に変換してメモリＭに格納された複数の閾値と比較し、比較結果に応じて所要の処理を行う。
制御部７１はユーザによるドアオープンが行われた後、メモリタグ通信終了処理開始電圧Ｖ１以下になったことを検出すると（Ｓ１００２でＹｅｓ）、タグ通信の終了処理を開始する（Ｓ１００３）。この時点では、各種駆動モータや定着器、高圧電源等は停止させていない。
制御部７１はタグ通信の終了処理が完了して（Ｓ１００４でＹｅｓ）ドアスイッチ７２の他端の電圧がドアオープン検知電圧Ｖ２以下になったとき（Ｓ１００５でＹｅｓ）に、ドアオープンを検知する（Ｓ１００６）。そして、各種駆動モータや定着器、高圧電源等を停止させるシャットダウン処理を行う（Ｓ１００７）（Ｖ１が請求項でいう第１の閾値、Ｖ２が第２の閾値に相当し、制御部７1は第１の閾値以下、第２の閾値以下になるのを検知する。）。
【００２９】
また、図９に示すように、ドアスイッチ７２他端の電圧に外来ノイズが入った場合、ノイズレベルがＶ１以下でＶ２を超えている場合（Ｓ１００５でＮｏ）には、所定時間Ｔｄ（請求項でいう第１の所定時間に相当）が経過するのを待つ（Ｓ１００８）。
その後、所定時間ＴｄたってもＶ２以下にならなかった場合（Ｓ１００８でＹｅｓ）には、ノイズであると判断して、タグ通信を再開させる処理を行う（Ｓ１００９）。
【００３０】
これにより、終了処理を高速で行なうための電気回路、及び複雑なメカ構成が必要となって部品が増えることによるコストアップなしに、メモリタグ通信中にドアオープンされた場合に生じるデータ破壊を防止することができる。
【実施例２】
【００３１】
実施例２である“画像形成装置”について説明する。本実施例のハードウエア構成は実施例１と同様なので、実施例１の説明を援用し、ここでの説明を省略する。
【００３２】
本実施例の要部を図１１および図１２により説明する。
【００３３】
図１１のフローチャートに示すように、外来ノイズが入った場合などのように、メモリタグ通信終了処理開始電圧Ｖ１以下であることを検知すると（Ｓ１１０２でＹｅｓ）、タグ通信の終了処理を開始する（Ｓ１１０３）。
制御部７１はドアオープン検知電圧Ｖ２以下であるかを判断して、ドアオープン検知電圧Ｖ２以下になった場合（Ｓ１１０４でＹｅｓ）には、Ｖ１以下になってからの経過時間がＴｎ（請求項でいう第２の所定時間に相当）以上であるか判断する（Ｓ１１０５）。経過時間がＴｎ以上であった場合には、ドアオープンと検知する（Ｓ１１０６）。タグ通信終了処理が完了していれば（Ｓ１１０７でＹｅｓ）、駆動モータや高圧出力の停止といったシャットダウン処理を行う（Ｓ１１０８）。
Ｓ１１０５において、経過時間がＴｎ未満であった場合（Ｓ１１０５でＮｏ）には、Ｔｎ時間経過するまでＶ２以下が継続しているかをチェックする（Ｓ１１０４）。Ｔｎ時間経過する前に電圧Ｖ２を超える電圧に復帰した場合（Ｓ１１０４でＮｏ）には、タグ通信終了処理が完了しているかチェックして（Ｓ１１０９）、タグ通信終了処理が完了し、かつ電圧がＶ１以上となった場合には（Ｓ１１１０でＹｅｓ）タグ通信の再開処理を行う（Ｓ１１１１）。
【００３４】
本実施例の処理を図１２により説明する。図示のように、ドアオープンに伴い、ドアスイッチ７２の他端の電圧は、破線で示すように低下し、電圧Ｖ１からＶ２になるまでにＴｎ時間かかるとする。すると、実線に示すように、ドアスイッチ７２の他端の電圧がＶ１からＶ２以下に低下し、その後、Ｔｎ時間以内に電圧Ｖ２を超える電圧に復帰した場合は、ドアオープンによる電圧低下ではない。そこで、メモリタグ通信終了処理が終了し、ドアスイッチの他端の電圧がメモリタグ通信終了処理開始電圧Ｖ１を超える電圧にまで復帰するのを待ってタグ通信を再開している。
【００３５】
これにより、終了処理を高速で行うための電気回路、及び複雑なメカ構成が必要となって部品が増えることによるコストアップなしに、メモリタグ通信中にドアオープンされた場合に生じるデータ破壊を防止することができる。さらに、外来ノイズによる誤動作の影響を最小限に抑えることができる。
【図面の簡単な説明】
【００３６】
【図１】実施例１および実施例２の画像形成装置の概略構成を示す断面図
【図２】画像形成装置から外したプロセスカートリッジの構成を示す断面図
【図３】画像形成装置の動作シーケンスを示すフローチャート
【図４】実施例１および実施例２の要部の概略構成を示すブロック図
【図５】図７の回路図に対応する従来の回路図
【図６】図５の回路の動作を説明する図
【図７】実施例１の要部の回路図
【図８】図７の回路の動作を説明する図
【図９】図７の回路の動作を説明する図
【図１０】実施例１における処理を示すフローチャート
【図１１】実施例２における処理を示すフローチャート
【図１２】実施例２の動作を説明する図
【符号の説明】
【００３７】
１    感光ドラム
１０    メモリタグ
２０    画像形成装置本体
２０ａ  本体ドア
４２    制御部
７２    ドアスイッチ
Ｃ    プロセスカートリッジ
【図１】
2009210602.tif 000003
【図２】
2009210602.tif 000004
【図３】
2009210602.tif 000005
【図４】
2009210602.tif 000006
【図５】
2009210602.tif 000007
【図６】
2009210602.tif 000008
【図７】
2009210602.tif 000009
【図８】
2009210602.tif 000010
【図９】
2009210602.tif 000011
【図１０】
2009210602.tif 000012
【図１１】
2009210602.tif 000013
【図１２】
2009210602.tif 000014